(57)【要約】【課題】  空掛け防止を簡易な構成で確実かつ自動的に防止し、空掛け防止部材の先端部および外側開閉体の摩耗や損傷を防止することができるクレセント錠装置を提供する。【解決手段】  施錠装置本体１１内にレバー１３の軸１２に連動するロックディスク１６を設け、ロックディスクにリンク機構２０を介して揺動するカム板１９を設け、カム板にトリガー１５を連係させて該トリガーの先端部１５ｂを施錠装置本体の内外に進退動自在に設け、両開閉体が正常な施錠位置にある時に、トリガーの先端部を施錠装置本体内より外側に突出させてトリガー受け板５に当接させると共に、レバーの施錠方向の回動操作を許容させ、両開閉体が正常な施錠位置にない時に、施錠装置本体の外側に突出したトリガーの先端部をカム板の揺動により該施錠装置本体内に後退させ、この後退でカム板がロックディスクをロックしてレバーの施錠方向の回動操作を阻止するようにした。【選択図】図２
2006328638.tif 000002
【特許請求の範囲】
【請求項１】
内側開閉体に固定され、レバーを有した係止金具を軸を介して回動自在に取り付けると共に空掛け防止部材を設けた施錠装置本体と、この施錠装置本体の前記係止金具に対向する位置の外側開閉体に設けられたフック金具及び空掛け防止受け部材とを備え、前記内側開閉体と前記外側開閉体とが正常な施錠位置にある時に、前記レバーの回動操作により前記係止金具を前記フック金具に係止・離脱させて施錠・解錠すると共に、前記両開閉体が正常な施錠位置にない時に、前記空掛け防止部材により前記レバーの施錠方向の回動操作を阻止するようにしたクレセント錠装置において、
前記施錠装置本体内に前記軸に連動するロック部材を設けると共に、該ロック部材にリンク機構を介して揺動するカム部材を設け、このカム部材に前記空掛け防止部材を連係させて該空掛け防止部材の先端部を前記施錠装置本体の内外に進退動自在に設け、前記両開閉体が正常な施錠位置にある時に、前記空掛け防止部材の先端部を前記施錠装置本体内より外側に突出させて前記空掛け防止受け部材に当接させ、この空掛け防止部材の先端部をそれ以上突出させないようにして前記カム部材がロック位置まで移動することを阻止し、前記レバーの施錠方向の回動操作を許容するように構成したことを特徴とするクレセント錠装置。
【請求項２】
内側開閉体に固定され、レバーを有した係止金具を軸を介して回動自在に取り付けると共に空掛け防止部材を設けた施錠装置本体と、この施錠装置本体の前記係止金具に対向する位置の外側開閉体に設けられたフック金具及び空掛け防止受け部材とを備え、前記内側開閉体と前記外側開閉体とが正常な施錠位置にある時に、前記レバーの回動操作により前記係止金具を前記フック金具に係止・離脱させて施錠・解錠すると共に、前記両開閉体が正常な施錠位置にない時に、前記空掛け防止部材により前記レバーの施錠方向の回動操作を阻止するようにしたクレセント錠装置において、
前記施錠装置本体内に前記軸に連動するロック部材を設けると共に、該ロック部材にリンク機構を介して揺動するカム部材を設け、このカム部材に前記空掛け防止部材を連係させて該空掛け防止部材の先端部を前記施錠装置本体の内外に進退動自在に設け、前記両開閉体が正常な施錠位置にある時に、前記空掛け防止部材の先端部を前記施錠装置本体内より外側に突出させて前記空掛け防止受け部材に当接させ、この空掛け防止部材の先端部をそれ以上突出させないようにして前記カム部材がロック位置まで移動することを阻止し、前記レバーの施錠方向の回動操作を許容する一方、前記両開閉体が正常な施錠位置にない時に、前記施錠装置本体の外側に突出した前記空掛け防止部材の先端部は前記空掛け防止受け部材に当接することなく突出し、前記カム部材の揺動を許容し、このカム部材の揺動により前記空掛け防止部材の先端部を前記施錠装置本体内に後退させると共に、前記カム部材が前記ロック部材をロックして前記レバーの施錠方向の回動操作を阻止するように構成したことを特徴とするクレセント錠装置。
【発明の詳細な説明】
【技術分野】
【０００１】
本発明は、例えば、建物の窓や扉等の内側及び外側開閉体に取り付けられるクレセント錠装置（レバー式施錠装置）に関し、特に、空掛け状態を確実に防止することができるクレセント錠装置に係わる。
【背景技術】
【０００２】
例えば、内障子および外障子が正常閉鎖位置にあるとき以外にはハンドル（レバー）が施錠方向に回動しないようにしたクレセント錠が提案されている（例えば、特許文献１，２参照）。このクレセント錠は、外障子側へ突出した状態でハンドルの回動を阻止している突出部を有しており、内障子および外障子を閉鎖したときに該突出部が外障子の枠部に接触して没入することにより、ハンドルの回動阻止状態が解除されるように構成されている。
【０００３】
【特許文献１】実公昭５７−５２３０３号公報
【０００４】
【特許文献２】実開昭５８−２５４６７号公報
【発明の開示】
【発明が解決しようとする課題】
【０００５】
しかしながら、前記従来のクレセント錠では、内障子と外障子を開閉する度に前記突出部が外障子の枠部等に接触するため、突出部や外障子の枠部等が摩耗したり損傷し易く、耐久性の低下を招いていた。
【０００６】
本発明は、かかる現状に鑑み創案されたものであって、所謂空掛け防止を簡易な構成で確実かつ自動的に防止することができ、空掛け防止部材の先端部および外側開閉体の摩耗や損傷を確実に防止することができる空掛け防止可能なクレセント錠装置を提供することを目的とする。
【課題を解決するための手段】
【０００７】
上記目的を達成するため、請求項１の発明は、内側開閉体に固定され、レバーを有した係止金具を軸を介して回動自在に取り付けると共に空掛け防止部材を設けた施錠装置本体と、この施錠装置本体の前記係止金具に対向する位置の外側開閉体に設けられたフック金具及び空掛け防止受け部材とを備え、前記内側開閉体と前記外側開閉体とが正常な施錠位置にある時に、前記レバーの回動操作により前記係止金具を前記フック金具に係止・離脱させて施錠・解錠すると共に、前記両開閉体が正常な施錠位置にない時に、前記空掛け防止部材により前記レバーの施錠方向の回動操作を阻止するようにしたクレセント錠装置において、前記施錠装置本体内に前記軸に連動するロック部材を設けると共に、該ロック部材にリンク機構を介して揺動するカム部材を設け、このカム部材に前記空掛け防止部材を連係させて該空掛け防止部材の先端部を前記施錠装置本体の内外に進退動自在に設け、前記両開閉体が正常な施錠位置にある時に、前記空掛け防止部材の先端部を前記施錠装置本体内より外側に突出させて前記空掛け防止受け部材に当接させ、この空掛け防止部材の先端部をそれ以上突出させないようにして前記カム部材がロック位置まで移動することを阻止し、前記レバーの施錠方向の回動操作を許容するように構成したことを特徴とする。
【０００８】
また、請求項２の発明は、内側開閉体に固定され、レバーを有した係止金具を軸を介して回動自在に取り付けると共に空掛け防止部材を設けた施錠装置本体と、この施錠装置本体の前記係止金具に対向する位置の外側開閉体に設けられたフック金具及び空掛け防止受け部材とを備え、前記内側開閉体と前記外側開閉体とが正常な施錠位置にある時に、前記レバーの回動操作により前記係止金具を前記フック金具に係止・離脱させて施錠・解錠すると共に、前記両開閉体が正常な施錠位置にない時に、前記空掛け防止部材により前記レバーの施錠方向の回動操作を阻止するようにしたクレセント錠装置において、前記施錠装置本体内に前記軸に連動するロック部材を設けると共に、該ロック部材にリンク機構を介して揺動するカム部材を設け、このカム部材に前記空掛け防止部材を連係させて該空掛け防止部材の先端部を前記施錠装置本体の内外に進退動自在に設け、前記両開閉体が正常な施錠位置にある時に、前記空掛け防止部材の先端部を前記施錠装置本体内より外側に突出させて前記空掛け防止受け部材に当接させ、この空掛け防止部材の先端部をそれ以上突出させないようにして前記カム部材がロック位置まで移動することを阻止し、前記レバーの施錠方向の回動操作を許容する一方、前記両開閉体が正常な施錠位置にない時に、前記施錠装置本体の外側に突出した前記空掛け防止部材の先端部は前記空掛け防止受け部材に当接することなく突出し、前記カム部材の揺動を許容し、このカム部材の揺動により前記空掛け防止部材の先端部を前記施錠装置本体内に後退させると共に、前記カム部材が前記ロック部材をロックして前記レバーの施錠方向の回動操作を阻止するように構成したことを特徴とする。
【発明の効果】
【０００９】
請求項１の発明によれば、内側開閉体と外側開閉体とが正常な施錠位置にある時に、空掛け防止部材の先端部を施錠装置本体内より外側に突出させて空掛け防止受け部材に当接させ、それ以上突出させないようにしてカム部材がロック位置まで移動するのを阻止し、レバーの施錠方向の回動操作を許容するようにしたことにより、内側開閉体側のレバーの係止金具を外側開閉体側のフック金具に簡単かつ確実にロックすることができる。即ち、空掛け防止部材の先端部は常に出ているのではなく、施錠するためにレバーを回動させた時にのみ空掛け防止部材の先端部を突出させることができる。
【００１０】
また、請求項２の発明によれば、両開閉体が正常な施錠位置にない時に、施錠装置本体の外側に突出した空掛け防止部材の先端部は空掛け防止受け部材に当接することなく突出し、カム部材の揺動を許容し、このカム部材の揺動により空掛け防止部材の先端部を施錠装置本体内に後退させると共に、カム部材がロック部材をロックしてレバーの施錠方向の回動操作を阻止するようにしたことにより、内側開閉体側のレバーの係止金具の空掛けを確実に防止することができる。この場合に、空掛け防止部材の先端部はカム部材の揺動により施錠装置本体内に後退して外側に突出することがないため、レバーを回動してロック状態で内側及び外側開閉体を移動させても空掛け防止部材の先端部が外側開閉体に当たることがなく、空掛け防止部材および外側開閉体等の摩耗や破損を確実に防止することができる。即ち、レバーをロック位置まで回動した場合、空掛け防止部材の先端部は引っ込むようにして空掛け防止部材の先端部および外側開閉体等の摩耗や破損を確実に防止することができる。
【発明を実施するための最良の形態】
【００１１】
以下、本発明の一実施形態を図面に基づいて説明する。
【００１２】
図１は本発明の一実施形態のクレセント錠装置の取付状態を示す引き違い戸の正面図、図２は同クレセント錠装置のレバー開状態の内部構造を示す説明図、図３は同クレセント錠装置の要部の拡大説明図、図４は同クレセント錠装置の要部の斜視図、図５〜図９は同クレセント錠装置の正常な施錠状態までの手順を示す説明図、図１０は同レバーの閉状態を示す説明図、図１１〜図１６は同クレセント錠装置の空掛け防止状態までの手順を示す説明図である。
【００１３】
図１〜図１６に示すように、クレセント錠装置（レバー式施錠装置）１０は、サッシ等の引き違い戸１の内障子（内側開閉体）２の枠部２ａに固定され、レバー１３を有した係止金具１４を軸１２を介して回動自在に取り付けると共に、トリガー（空掛け防止部材）１５をスライド移動自在に設けた施錠装置本体１１と、この施錠装置本体１１の係止金具１４に対向する位置の外障子（外側開閉体）３の枠部３ａに固定されたフック金具４及び該フック金具４に併設されたトリガー受け板（空掛け防止受け部材）５とを備え、内障子２の枠部２ａと外障子３の枠部３ａとが重なり合う正常な施錠位置にある時に、レバー１３の回動操作により係止金具１４をフック金具４のフック片部４ａに係止・離脱させて施錠・解錠すると共に、両枠部２ａ，３ａが正常な施錠位置にない時に、トリガー１５及び後述するロックディスク（ロック部材）１６及びリンク機構２０を介してレバー１３の施錠方向の回動操作を阻止するようになっている。
【００１４】
図２及び図３に示すように、施錠装置本体１１は箱形に形成してあり、その内部に軸１２を突出させると共に回動自在に支持してある。この軸１２にはロックディスク（ロック部材）１６を固定してあると共に、ドライブ体２２を回転自在に支持してある。このドライブ体２２はワッシャ２７を介して抜け止め自在に取り付けてある。図４に示すように、ロックディスク１６の上部には大径歯部１６ａを一体形成してある。また、ドライブ体２２の下部には小径歯部２２ｂを一体突出形成してある。これらロックディスク１６の大径歯部１６ａ及びドライブ体２２の小径歯部２２ｂは、施錠装置本体１１に軸１８を介して回転自在に支持された二段ギヤ１７の小径歯部１７ａ及び大径歯部１７ｂにそれぞれ噛合している。この二段ギヤ１７の下段の小径歯部１７ａと上段の大径歯部１７ｂは一体形成してある。この下段の小径歯部１７ａの歯数は例えば３４になっていると共に、上段の大径歯部１７ｂの歯数は例えば４４になっている。さらに、ロックディスク１６の大径歯部１６ａの歯数は例えば３４になっていると共に、ドライブ体２２の小径歯部２２ｂの歯数は例えば２４になっている。これらにより、ドライブ体２２はロックディスク１６と同様に軸１２に直接固定されておらず、二段ギヤ１７を介してロックディスク１６に連動しているため、例えば、上記歯数の比である４４：２４のギヤ比で動きに差が出るようになっている。
【００１５】
また、図２及び図３に示すように、施錠装置本体１１内には、後述するリンク機構２０を介してロックディスク１６に連係するカム板（カム部材）１９を支軸２１に揺動自在に支持してある。そして、このカム板１９のＶ字状のカム溝１９ａにトリガー１５の円柱状のピン１５ａを摺動自在にさせてあり、このカム板１９が支軸２１を介して揺動することによりトリガー１５の先端部１５ｂが施錠装置本体１１の内外に進退動するようになっている。
【００１６】
そして、図５〜図９に示すように、内，外障子２，３の両枠部２ａ，３ａが正常な施錠位置にある時に、トリガー１５の先端部１５ｂを施錠装置本体１１の側壁の開口部１１ａより外側に突出させてトリガー受け板５に当接させることで、カム板１９の揺動を阻止して該カム板１９がロック位置まで移動することを阻止し、レバー１３の施錠方向Ａの回動操作を許容するようになっている。また、図１，図１１〜図１６に示すように、内，外障子２，３の両枠部２ａ，３ａが正常な施錠位置にない時に、施錠装置本体１１の外側に突出したトリガー１５の先端部１５ｂをカム板１９の揺動により該施錠装置本体１１内に後退させ、この後退途中または後退後で、図１５に示すように、カム板１９の先端の円弧状の凸部１９ｂがロックディスク１６の円弧状の凹部１６ｂを係止し、即ち、カム板１９がロックディスク１６をロックしてレバー１３の施錠方向Ａの回動操作を阻止するようになっている。
【００１７】
図２〜図４に示すように、リンク機構２０は、軸１２に回転自在に支持されると共に、両側に規制部２２ａ，２２ａを有した略半円形のドライブ体２２と、カム板１９を揺動自在に支持した支軸２１に揺動自在に支持されると共に、ドライブ体２２の両側の規制部２２ａ，２２ａに当接・離反自在にされたリンクカム２３と、このリンクカム２３の中央の凹部２３ｂに一端２４ａを係止させて該リンクカム２３を所定方向に付勢すると共に、他端２４ｂをトリガー１５の円弧状の凸部１５ｃに係止させて該トリガー１５の先端部１５ｂを施錠装置本体１１の外側に突出する方向に付勢する捩りコイルバネ２４と、施錠装置本体１１の係止部１１ｂに一端２５ａを係止させると共に、他端２５ｂをカム板１９の底辺部１９ｃに係止させて該カム板１９を矢印Ｄ方向に付勢する捩りコイルバネ２５とで構成されている。
【００１８】
図２及び図３に示すように、リンクカム２３の先端部２３ａは略三角形状に形成してあり、その一方の面にカム板１９の傾斜辺部１９ｄに摺動する突起２３ｃを一体突出形成してある。また、リンクカム２３の基部２３ｄは円形になっており、その中央部を支軸２１に貫通させている。
【００１９】
尚、引き違い戸１の内，外障子２，３の両枠部２ａ，３ａはアルミニウム製である。また、二段ギヤ１７には引っ張りコイルバネ２９の一端を係止してあり、この引っ張りコイルバネ２９の引っ張り力によりレバー１３は戻る方向に常に付勢されるようになっている。さらに、ドライブ体２２の中央には棒状の殴打部２２ｃを一体突出形成してあり、該ドライブ体２２の回動によって殴打部２２ｃが、自己発電可能で、かつ送信機能を備えた圧電発電装置３０の鋼球支持弾性体３１に固定された一方の鋼球３２を殴打するように構成されている。この圧電発電装置３０は、外部電源に頼ることなく、クレセント錠装置１０のレバー１３の開閉操作（ロック操作からロック解除操作、或はその逆の操作）毎に図示しない圧電セラミックス体が自己発電して必要な電力を直ちに供給することができるように構成されている。即ち、圧電発電装置３０は、レバー１３が施錠を解除される方向に回動操作されても発電作動が行なわれ、クレセント錠装置１０のロック状態が解除されたという信号が送られるようになっている。
【００２０】
以上実施形態のクレセント錠装置１０によれば、図２に示すように、内，外障子２，３の両枠部２ａ，３ａが正常な施錠位置にある時に、図５に示すように、レバー１３を施錠方向Ａに閉操作すると、ドライブ体２２が矢印Ｂ方向に回転する。これにより、リンク機構２０のリンクカム２３がドライブ体２２の一方の規制部２２ａに当たりながら矢印Ｃ方向に回転すると共に、カム板１９の傾斜辺部１９ｄがリンクカム２３の突起２３ｃに当たりながら該カム板１９が矢印Ｄ方向に揺動する。このカム板１９の揺動により、該カム板１９のカム溝１９ａを介してトリガー１５が矢印Ｅ方向に移動し、トリガー１５の先端部１５ｂが施錠装置本体１１の側壁の開口部１１ａより外側に突出する。
【００２１】
そして、図６に示すように、トリガー１５の先端部１５ｂがトリガー受け板５に当接する。この当接により、図７に示すように、トリガー１５の矢印Ｅ方向の移動が停止するため、カム板１９の矢印Ｄ方向の揺動が停止する。この際に、カム板１９の先端の円弧状の凸部１９ｂがロックディスク１６の円弧状の凹部１６ｂから離れているため、レバー１３の施錠方向Ａの閉操作は許容され、図７中矢印で示すように、リンクカム２３からドライブ体２２の一方の規制部２２ａが離れて行く。
【００２２】
次に、図８に示すように、レバー１３が施錠方向Ａに更に閉操作されると、ドライブ体２２の他方の規制部２２ａがリンクカム２３の先端部２３ａに当たる。そして、図９に示すように、捩りコイルバネ２４の付勢力に抗してその撓みによりリンクカム２３が矢印Ｆ方向に揺動して逃げるため、レバー１３の施錠方向Ａの更なる閉操作は許容される。これにより、図１０に示すように、レバー１３の閉操作が終了すると、レバー１３の係止金具１４がフック金具４のフック片部４ａに係止されて施錠（ロック）される。
【００２３】
また、図１，図１１に示すように、内，外障子２，３の両枠部２ａ，３ａが正常な施錠位置にない時に、レバー１３を施錠方向Ａに閉操作すると、ドライブ体２２が矢印Ｂ方向に回転する。これにより、リンク機構２０のリンクカム２３がドライブ体２２の一方の規制部２２ａに当たりながら矢印Ｃ方向に回転すると共に、カム板１９の傾斜辺部１９ｄがリンクカム２３の突起２３ｃに当たりながら該カム板１９が矢印Ｄ方向に揺動する。このカム板１９の揺動により、該カム板１９のカム溝１９ａを介してトリガー１５が矢印Ｅ方向に移動し、トリガー１５の先端部１５ｂが施錠装置本体１１の側壁の開口部１１ａより外側に突出する。
【００２４】
この際、図１２に示すように、施錠装置本体１１の側壁の開口部１１ａより外側に突出したトリガー１５の先端部１５ｂがトリガー受け板５に当たらないため、図１３に示すように、レバー１３を施錠方向Ａに更に閉操作すると、ドライブ体２２が矢印Ｂ方向に回転する。これにより、リンクカム２３がドライブ体２２の一方の規制部２２ａに当たりながら矢印Ｃ方向に更に回転すると共に、カム板１９の傾斜辺部１９ｄがリンクカム２３の突起２３ｃに当たりながら該カム板１９が矢印Ｄ方向に更に揺動する。このカム板１９の揺動により、該カム板１９のカム溝１９ａを介してトリガー１５が矢印Ｇ方向に移動し、施錠装置本体１１の側壁の開口部１１ａより外側に突出したトリガー１５の先端部１５ｂを該施錠装置本体１１内に後退させる。
【００２５】
そして、図１４に示すように、レバー１３を施錠方向Ａに更に閉操作すると、ドライブ体２２が矢印Ｂ方向に回転する。これにより、リンクカム２３がドライブ体２２の一方の規制部２２ａに当たりながら矢印Ｃ方向に更に回転すると共に、カム板１９の傾斜辺部１９ｄがリンクカム２３の突起２３ｃに当たりながら該カム板１９が矢印Ｄ方向に更に揺動する。このカム板１９の揺動により、該カム板１９のカム溝１９ａを介してトリガー１５が矢印Ｇ方向に更に移動する。
【００２６】
また、図１４，図１５に示すように、レバー１３の施錠方向Ａへの更なる閉操作により、ロックディスク１６が矢印Ｈ方向に回転するため、該ロックディスク１６の円弧状の凹部１６ｂがカム板１９の先端の円弧状の凸部１９ｂに接近する。そして、施錠装置本体１１の側壁の開口部１１ａより外側に突出したトリガー１５の先端部１５ｂが該施錠装置本体１１内に完全に収納されると、図１６に示すように、カム板１９の円弧状の凸部１９ｂがロックディスク１６の円弧状の凹部１６ｂに係止される。これにより、カム板１９がロックディスク１６をロックするため、レバー１３の施錠方向Ａの閉操作は阻止され、レバー１３の係止金具１４の空掛けが確実に防止される。
【００２７】
このように、図５〜図８に示す内，外障子２，３の両枠部２ａ，３ａが重なり合う該両枠部２ａ，３ａが正常な施錠位置にある時に、トリガー１５の先端部１５ｂを施錠装置本体１１内より外側に突出させてトリガー受け板５に当接させ、それ以上突出させないようにしてカム板１９がロック位置まで移動することを阻止し、かつ、レバー１３の施錠方向Ａの回動操作を許容するようにしたことにより、内障子２の枠部２ａのレバー１３の係止金具１４を外障子３の枠部３ａのフック金具４のフック片部４ａに簡単かつ確実にロックすることができる。
【００２８】
また、図１，図１１〜図１６に示すように、内，外障子２，３の両枠部２ａ，３ａが正常な施錠位置にない時に、施錠装置本体１１の外側に突出したトリガー１５の先端部１５ｂはトリガー受け板５に当接することなく突出し、カム板１９の揺動を許容し、このカム板１９の揺動によりトリガー１５の先端部１５ｂを施錠装置本体１１内に後退させ、この後退途中または後退後にカム板１９がロックディスク１６をロックしてレバー１３の施錠方向Ａの回動操作を阻止するようにしたことにより、レバー１３の係止金具１４、即ち、クレセント錠装置１０の空掛けを確実に防止することができる。この場合に、トリガー１５の先端部１５ｂはカム板１９の揺動により施錠装置本体１１内に後退して外側に突出することがないため、レバー１３を回動してロック状態で内障子２及び外障子３を移動させてもトリガー１５の先端部１５ｂが外障子３の枠部３ａに当たることがなくなり、トリガー１５の先端部１５ｂおよび外障子３の枠部３ａの摩耗や破損を確実に防止することができる。
【００２９】
さらに、トリガー１５に連係したカム板１９を揺動させるリンク機構２０を簡単かつ低コストで構成することができるため、内障子２の枠部２ａのレバー１３の係止金具１４の空掛けを簡単かつ低コストで確実に防止することができる。
【００３０】
尚、前記実施形態によれば、クレセント錠装置を建物の窓開口に装着される引き違い戸の内外障子の枠部に取り付けた場合につてい説明したが、開き戸の扉、雨戸、観音開きの扉や窓、天窓等に適用しても良いことは勿論である。また、空掛け防止受け部材をフック金具に併設した場合について説明したが、フック金具本体が空掛け防止受け部材を兼ねたり、或いは、空掛け防止受け部材を外側開閉体の枠部内のガラス等に取り付けても良いことは勿論である。
【図面の簡単な説明】
【００３１】
【図１】本発明の一実施形態のクレセント錠装置の取付状態を示す引き違い戸の正面図である。
【図２】上記クレセント錠装置のレバー開状態の内部構造を示す説明図である。
【図３】上記クレセント錠装置の要部の拡大説明図である。
【図４】上記クレセント錠装置の要部の斜視図である。
【図５】上記クレセント錠装置の正常な施錠時の初期状態を示す説明図である。
【図６】上記正常な施錠時において空掛け防止部材がその受け部材に当たった状態を示す説明図である。
【図７】上記正常な施錠時のレバーを施錠方向の回動を許容する初期の状態を示す説明図である。
【図８】上記レバーの係止金具がフック金具に係止する初期状態を示す説明図である。
【図９】上記レバーの係止金具がフック金具に係止した途中の状態を示す説明図である。
【図１０】上記レバーの閉状態を示す説明図である。
【図１１】上記クレセント錠装置の空掛け防止時の初期状態を示す説明図である。
【図１２】上記空掛け防止時において空掛け防止部材の先端部が外側に突出した状態を示す説明図である。
【図１３】上記空掛け防止時において空掛け防止部材の先端部が内部に退避した状態を示す説明図である。
【図１４】上記空掛け防止時においてレバーがロックされる前の状態を示す説明図である。
【図１５】上記空掛け防止時においてレバーがロックされる直前の状態を示す説明図である。
【図１６】上記空掛け防止時においてレバーがロックされた状態を示す説明図である。
【符号の説明】
【００３２】
２  内障子（内側開閉体）
２ａ  枠部
３  外障子（外側開閉体）
３ａ  枠部
４  フック金具
５  トリガー受け板（空掛け防止受け部材）
１０  クレセント錠装置
１１  施錠装置本体
１２  軸
１３  レバー
１４  係止金具
１５  トリガー（空掛け防止部材）
１５ｂ  先端部
１６  ロックディスク（ロック部材）
１７  二段ギヤ
１９  カム板（カム部材）
２０  リンク機構
２１  支軸
２２  ドライブ体
２２ａ，２２ａ  両側の規制部
２３  リンクカム
２４  捩りコイルバネ
２４ａ  一端
２４ｂ  他端
Ａ  施錠方向
【図１】
2006328638.tif 000003
【図２】
2006328638.tif 000004
【図３】
2006328638.tif 000005
【図４】
2006328638.tif 000006
【図５】
2006328638.tif 000007
【図６】
2006328638.tif 000008
【図７】
2006328638.tif 000009
【図８】
2006328638.tif 000010
【図９】
2006328638.tif 000011
【図１０】
2006328638.tif 000012
【図１１】
2006328638.tif 000013
【図１２】
2006328638.tif 000014
【図１３】
2006328638.tif 000015
【図１４】
2006328638.tif 000016
【図１５】
2006328638.tif 000017
【図１６】
2006328638.tif 000018